(57)【特許請求の範囲】
【請求項１】
前部側に開口部が設けられた装置本体内に配置された金銭収納部が前記開口部から外部に露出すると共に、前記開口部を開閉可能なシャッタが前記開口部を開放した際に前記装置本体内に収納される金銭収納装置と、
前記装置本体上に設けられ、ユーザからの入力操作を受け付けるとともに前記入力操作に対応した情報が表示される入力表示部と、
前記装置本体内における前記金銭収納部の奥側に設けられ、前記入力表示部を介した所定の入力操作に応じてレシートを印刷出力するプリンタ装置と、
を備え、
前記シャッタは、円弧状に湾曲して形成されているとともに前記開口部を塞ぐシャッタ本体部と、前記シャッタ本体部を所定の方向に回転させるための回転軸とされる支点部と、前記シャッタ本体部を前記支点部に連結するための支持アーム部と、を備え、閉動作時においては前記シャッタ本体部により前記開口部を上部側から閉じていくように動作し、開動作時においては前記シャッタ本体部により前記開口部を下部側から開けていくように動作し、
前記装置本体は、当該装置本体の後部の高さが当該装置本体の前部の高さよりも高く形成されていることにより、当該装置本体の上部が前下りに傾斜する形状に形成されており、
前記シャッタ本体部は、当該シャッタ本体部の開閉動作に伴う移動軌跡において最も高くなる位置が前記入力表示部よりも手前側にくるように配置されている、
ことを特徴とする売上データ処理装置。
【請求項２】
請求項１に記載の売上データ処理装置において、
前記入力表示部は、前記プリンタ装置に対応する箇所を除いて、前記装置本体の上面から背面に亘って配置されている、
ことを特徴とする売上データ処理装置。
【請求項３】
請求項２に記載の売上データ処理装置において、
前記入力表示部は、入力部、第１の表示部、第２の表示部を備え、
前記入力部と前記第１の表示部とが前記装置本体の上面に配置され、
前記第２の表示部が前記装置本体の背面に配置されている、
ことを特徴とする売上データ処理装置。
【請求項４】
請求項１〜請求項３のいずれかに記載の売上データ処理装置において、
前記プリンタ装置は、ロール状に巻かれた記録紙が収納される記録紙収納部と、前記記録紙収納部から送り出された記録紙に印刷情報を印刷するプリンタ部と、を備え、
前記記録紙収納部と前記プリンタ部は、前記装置本体内において前記シャッタが移動する領域よりも奥側に配置されている、
ことを特徴とする売上データ処理装置。
【発明の詳細な説明】
【技術分野】
【０００１】
この発明は、紙幣や硬貨、商品券などの収納物を収納するドロア装置などの金銭収納装置を備えた売上データ処理装置に関する。
【背景技術】
【０００２】
例えば、売上データ処理装置のドロア装置においては、特許文献１に記載されているように、装置本体内に紙幣や硬貨、商品券などの収納物を収納する収納ケースをスライド可能に設けた構成のものが知られている。
【先行技術文献】
【特許文献】
【０００３】
【特許文献１】特開平０８−８３３８０号公報
【発明の概要】
【発明が解決しようとする課題】
【０００４】
このような売上データ処理装置のドロア装置では、収納ケース内に複数種類の収納物を種類ごとに収納するために、複数の収納部を平面的に仕切った状態で設けた構成であるから、収納ケース全体が平面的に大きくなり、これに伴って装置本体も平面的に大きくなる。このため、このドロア装置では、設置面積が大きくなるばかりか、使用時に収納ケースをスライドさせて引き出すため、使用時における平面的な使用面積も大きくなるという問題がある。
【０００５】
また、入力表示部と、プリンタ装置と、ドロア装置とを組み合わせて売上データ処理装置を構成する場合に、プリンタ装置およびドロア装置を設置するための平面的な設置面積および使用面積が更に増大してしまうという問題がある。そのため、プリンタ装置およびドロア装置を含めた装置本体をコンパクトに構成することができない。
【０００６】
この発明が解決しようとする課題は、設置面積および使用面積を小さくして、省スペース化およびコンパクト化を図ることができるようにすることである。
【課題を解決するための手段】
【０００７】
この発明に係る売上データ処理装置は、前部側に開口部が設けられた装置本体内に配置された金銭収納部が前記開口部から外部に露出すると共に、前記開口部を開閉可能なシャッタが前記開口部を開放した際に前記装置本体内に収納される金銭収納装置と、前記装置本体上に設けられ、ユーザからの入力操作を受け付けるとともに前記入力操作に対応した情報が表示される入力表示部と、前記装置本体内における前記金銭収納部の奥側に設けられ、前記入力表示部を介した所定の入力操作に応じてレシートを印刷出力するプリンタ装置と、を備え、前記シャッタは、円弧状に湾曲して形成されているとともに前記開口部を塞ぐシャッタ本体部と、前記シャッタ本体部を所定の方向に回転させるための回転軸とされる支点部と、前記シャッタ本体部を前記支点部に連結するための支持アーム部と、を備え、閉動作時においては前記シャッタ本体部により前記開口部を上部側から閉じていくように動作し、開動作時においては前記シャッタ本体部により前記開口部を下部側から開けていくように動作し、前記装置本体は、当該装置本体の後部の高さが当該装置本体の前部の高さよりも高く形成されていることにより、当該装置本体の上部が前下りに傾斜する形状に形成されており、前記シャッタ本体部は、当該シャッタ本体部の開閉動作に伴う移動軌跡において最も高くなる位置が前記入力表示部よりも手前側にくるように配置されている、ことを特徴とする。
【発明の効果】
【０００８】
この発明によれば、設置面積および使用面積を小さくして、省スペース化およびコンパクト化を図ることができる。
【図面の簡単な説明】
【０００９】
【図１】この発明を電子レジスタに適用した一実施形態を示した斜視図である。
【図２】図１に示された電子レジスタにおいて、回転シャッタを回転させて装置本体の開口部を開放させた状態を示した斜視図である。
【図３】図１に示された電子レジスタのＡ−Ａ矢視における断面図である。
【図４】図１に示された電子レジスタの金銭収納部を示した斜視図である。
【図５】図４に示された金銭収納部における第１の収納部を示した斜視図である。
【図６】図４に示された金銭収納部における第２の収納部を示した斜視図である。
【図７】図１に示された電子レジスタを背面側から見た斜視図である。
【図８】図１に示された電子レジスタにおいて、入力表示部の第１の表示部を所望の角度に傾けた状態を示した斜視図である。
【図９】図１に示された電子レジスタの回路構成を示したブロック図である。
【発明を実施するための形態】
【００１０】
以下、図１〜図９を参照して、この発明を売上データ処理装置である電子レジスタに適用した一実施形態について説明する。
この電子レジスタは、図１〜図３に示すように、金銭収納装置１と、この金銭収納装置１内に配置されたプリンタ装置２と、金銭収納装置１上に配置された入力表示部３と、を備えている。
【００１１】
金銭収納装置１は、図１〜図３に示すように、装置本体４と、この装置本体４内に配置された金銭収納部５と、装置本体４内に回転可能に設けられた回転シャッタ６と、を備えている。装置本体４は、後部（図３では左側部）がほぼ半円弧状に湾曲して形成され、前部（図３では右側部）側に開口部７が設けられた本体ケース部８と、この本体ケース部８の前後方向（図３では左右方向）と直交する左右方向の両側に設けられた一対の側板部９と、を備えている。
【００１２】
この場合、装置本体４は、図１〜図３に示すように、その後部（図３では左側部）の高さが前部（図３では右側部）の高さよりも高く形成され、これにより上部が前下り（図３では右下り）に傾斜するように形成されている。開口部７は、本体ケース部８の前端下部（図３では右端下部）からその後方に位置する前側上部（図３では右側上部）に亘って形成されている。
【００１３】
すなわち、この開口部７は、図２および図３に示すように、その前後方向の開口長さが装置本体４の前後方向における全長の１／３程度の長さに形成されている。一対の側板部９は、その後部がほぼ半円弧状に形成され、開口部７に対応する前部が後部の円弧の高さよりも低い円弧状に形成されて、開口部７の両側に配置された状態で、前部の上端が開口部７から上方に露出するように構成されている。
【００１４】
回転シャッタ６は、図１〜図３に示すように、装置本体４の内部に回転可能に設けられて、開口部７を開閉可能に円弧状に塞ぐように構成されている。すなわち、この回転シャッタ６は、装置本体４の開口部７に対応する大きさのシャッタ本体部１０と、このシャッタ本体部１０における左右方向の両側に設けられて装置本体４内に向けて延びる一対の支持アーム部１１と、装置本体４の一対の側板部９の各内面に設けられて一対の支持アーム部１１を回転可能に支持する支点部である一対の支持軸１２と、を備えている。
【００１５】
シャッタ本体部１０は、図１〜図３に示すように、一対の支持軸１２を中心とする円弧状に湾曲して形成されている。すなわち、このシャッタ本体部１０は、一対の側板部９の前部の上端と同じ大きさの円弧状に形成されている。また、このシャッタ本体部１０は、その左右方向の長さが装置本体４の一対の側板部９間の長さとほぼ同じ長さに形成されている。さらに、このシャッタ本体部１０の外部側の先端部（図３では下端部）には、鍔部１０ａが設けられている。
【００１６】
この鍔部１０ａは、図１〜図３に示すように、シャッタ本体部１０が装置本体４の開口部７を塞いだ際に、本体ケース部８の前端下部に設けられた装着凹部８ａに装着し、シャッタ本体部１０が装置本体４の開口部７を開放した際に、本体ケース部８の上部前端に接近するように構成されている。これにより、シャッタ本体部１０は、開口部７を塞いだ際に、一対の側板部９の前部の上端と同じ円弧形状をなすように構成されている。
【００１７】
一対の支持アーム部１１それぞれは、図２および図３に示すように、ほぼ扇形状に形成され、装置本体４の一対の側板部９の内面に沿って装置本体４内に延び、この延びた内端部が一対の支持軸１２に回転可能に取り付けられている。これにより、回転シャッタ６は、支点部である一対の支持軸１２を中心に一対の支持アーム部１１が約９０度回転することにより、シャッタ本体部１０が約９０度回転移動して、装置本体４の開口部７を塞ぐと共に、開口部７を開放した際に装置本体４内に収納されるように構成されている。
【００１８】
この回転シャッタ６は、図１および図２に示すように、一対の側板部９における一方（図１では右側）の側板部９に設けられた施錠部１３によって施錠されるように構成されている。この施錠部１３は、鍵穴１３ａに鍵（図示せず）を差し込んで施錠した際に、一対の支持軸１２を中心とする一対の支持アーム部１１の回転を阻止し、シャッタ本体部１０が開閉動作しないように構成されている。
【００１９】
また、この施錠部１３は、図１および図２に示すように、鍵穴１３ａに鍵（図示せず）を差し込んで施錠を解除した際に、一対の支持軸１２を中心とする一対の支持アーム部１１を回転可能な状態にすることにより、シャッタ本体部１０を回転動作させて装置本体４の開口部７を開閉させるように構成されている。
【００２０】
一方、金銭収納部５は、図２および図３に示すように、紙幣や硬貨などの金銭を収納するものであり、装置本体４の開口部７から外部に露出する状態で装置本体４の内部に配置されている。この金銭収納部５は、装置本体４の底部に配置されて紙幣を収納する第１の収納部１４と、この第１の収納部１４の上方に段違いに配置されて硬貨を収納する第２の収納部１５と、を備え、これら第１の収納部１４と第２の収納部１５とが装置本体４の開口部７から外部に露出する状態で装置本体４内に配置されている。
【００２１】
この場合、第１の収納部１４は、図２〜図５に示すように、上側が開放された厚みの薄い箱状に形成され、装置本体４の底部に配置された状態で、前部（図２では左側）が装置本体４の開口部７から外部に露出するように構成されている。すなわち、この第１の収納部１４は、前後方向と直交する左右方向の長さが装置本体４の一対の側板部９間の長さよりも短く、かつ回転シャッタ６の一対の支持アーム部１１間の長さとほぼ同じか、それよりも少し短い長さで形成されている。
【００２２】
このため、回転シャッタ６は、図２および図３に示すように、一対の支持アーム部１１が第１の収納部１４の両側に位置する各側部と装置本体４の一対の側板部９との間に回転移動可能に配置されるように構成されている。また、この第１の収納部１４は、前後方向における奥行きの長さが回転シャッタ６の回転領域よりも長く形成されている。
【００２３】
すなわち、この第１の収納部１４は、図３に示すように、前後方向における奥行きの長さが回転シャッタ６のシャッタ本体部１０の回転領域、つまりシャッタ本体部１０の回転移動軌跡の直径よりも長く形成されている。これにより、第１の収納部１４は、その奥部がシャッタ本体部１０の回転領域内から装置本体４内の奥側に突出した状態で配置されるように構成されている。
【００２４】
また、この第１の収納部１４は、図４および図５に示すように、その内部が複数の仕切板１４ｂによって紙幣の金種に応じて例えば３つの収納スペース１４ａに仕切られている。これら複数の仕切板１４ｂは、第１の収納部１４の内面に設けられた多数の係合溝１４ｅのいずれかに差しまれることにより、紙幣の種類および大きさに応じて仕切位置が変えられるように構成されている。
【００２５】
また、この第１の収納部１４の両側部および複数の仕切板１４ｂには、図４および図５に示すように、回転シャッタ６のシャッタ本体部１０が装置本体４内に収納された際に、シャッタ本体部１０の後端部に設けられた後述する紙幣押え部１０ｂが食い込む複数の切欠き部１４ｃが設けられている。
【００２６】
すなわち、回転シャッタ６は、図３に示すように、一対の支持軸１２を中心に回転してシャッタ本体部１０が装置本体４内に収納された際に、その後端部（図３に２点鎖線で示す下端部）に紙幣押え部１０ｂが設けられ、この紙幣押え部１０ｂが第１の収納部１４の両側部および複数の仕切板１４ｂに設けられた複数の切欠き部１４ｃに食い込んで、第１の収納部１４内の奥側に位置する箇所の紙幣を押えるように構成されている。
【００２７】
また、この第１の収納部１４は、図３〜図５に示すように、その前部（図３では右側部）が円弧状に競り上がるように湾曲して形成され、これにより紙幣が取り出し易くなるように構成されている。また、この第１の収納部１４は、その奥部（図３では左側部）が装置本体４内にヒンジ部１６によって上下方向に回転可能に取り付けられるように構成されている。
【００２８】
すなわち、ヒンジ部１６は、図３〜図５に示すように、第１の収納部１４の奥部の両側に設けられた一対のヒンジ軸１６ａと、装置本体４内に設けられて一対のヒンジ軸１６ａを回転可能に保持するヒンジ取付部１６ｂと、を備えている。これにより、第１の収納部１４は、図３に２点鎖線で示すように、ヒンジ軸１６ａを中心に上方に回転することにより、装置本体４の底部と第１の収納部１４の下部との間に設けられて商品券などの金券を収納する隠し収納部１４ｄを開放するように構成されている。
【００２９】
一方、第２の収納部１５は、図２〜図４、図６に示すように、上側が開放されたほぼ樋状に形成されて、第１の収納部１４の上方に一対の脚部１７によって支持され、この状態で前部と上部とのほぼ全体が装置本体４の開口部７から外部に露出するように構成されている。この第２の収納部１５は、前後方向と直交する左右方向の長さが、第１の収納部１４と同様、装置本体４の一対の側板部９間の長さよりも短く、かつ回転シャッタ６の一対の支持アーム部１１間の長さとほぼ同じか、それよりも少し短い長さで形成されている。
【００３０】
このため、回転シャッタ６は、図２および図３に示すように、一対の支持アーム部１１が第２の収納部１５の両側に位置する各側部と装置本体４の一対の側板部９との間に回転移動可能に配置されるように構成されている。また、この第２の収納部１５は、前後方向における奥行きの長さが回転シャッタ６の回転領域よりも短く形成されている。
【００３１】
すなわち、この第２の収納部１５は、図３に示すように、その奥行きの長さが回転シャッタ６のシャッタ本体部１０の回転領域、つまりシャッタ本体部１０の回転移動軌跡の直径よりも短く、かつシャッタ本体部１０の回転移動軌跡の半径とほぼ同じ長さで形成され、これにより回転シャッタ６の回転領域内に配置されるように構成されている。
【００３２】
この場合、第２の収納部１５は、図２および図３に示すように、その左右方向の両側に位置する上端部が、回転シャッタ６の支点部である一対の支持軸１２を中心とする円弧状に湾曲して形成されていることにより、回転シャッタ６のシャッタ本体部１０の円弧とほぼ同じか、それよりも少し小さい円弧状に形成されている。また、この第２の収納部１５は、その内部が複数の仕切板１５ｂによって硬貨８の金種に応じて例えば６つの収納スペース１５ａに仕切られている。
【００３３】
これら複数の仕切板１５ｂは、図４および図６に示すように、第２の収納部１５の内面に設けられた多数の係合溝１５ｃのいずれかに差しまれることにより、第１の収納部１４の仕切板１４ｂと同様、硬貨の種類に応じて仕切位置が変えられるように構成されている。この場合にも、複数の仕切板１５ｂは、その各上端部が第２の収納部１５の両側の上端部と同様、シャッタ本体部１０の円弧とほぼ同じか、それよりも少し小さい円弧状に形成されている。
【００３４】
また、この第２の収納部１５は、図２〜図４、図６に示すように、その前部（図３では右側部）が円弧状に競り上がるように湾曲して形成されている。このため、この第２の収納部１５は、硬貨を取り出し易くすると共に、第１の収納部１４の前部を広く開放させて第１の収納部１４における前部側の内部を見易くし、かつ紙幣を取り出し易くするように構成されている。
【００３５】
この場合、第２の収納部１５は、図２〜図４に示すように、その両側部に設けられた一対の脚部１７によって第１の収納部１４の上方に支持されていることにより、第２の収納部１５の円弧状の上端部が、回転シャッタ６のシャッタ本体部１０の回転移動軌跡に接近した状態で配置されるように構成されている。すなわち、一対の脚部１７は、第２の収納部１５の両側部から下側に突出して形成されている。
【００３６】
また、この第２の収納部１５は、図２〜図４に示すように、一対の脚部１７が着脱固定部（図示せず）によって第１の収納部１４の両側部上に着脱可能に固定されるように構成されている。すなわち、この着脱固定部は、例えばマグネットまたは弾力的に係脱可能に係合する係合部であり、第２の収納部１５を第１の収納部１４上に着脱可能な状態で簡単にかつ容易に固定するように構成されている。
【００３７】
ところで、プリンタ装置２は、図３に示すように、記録紙収納部１８とプリンタ部１９とを備え、これらが装置本体４内の奥側上部（図３では左側上部）に配置されている。すなわち、このプリンタ装置２は、図１および図２に示すように、装置本体４の左右方向における左側のほぼ半分の領域内に配置され、装置本体４に設けられたプリンタカバー部２２によって開閉可能に覆われるように構成されている。
【００３８】
記録紙収納部１８は、図３示すように、ロール状に巻かれた記録紙２１を収納するものであり、装置本体４内に収納された状態の回転シャッタ６よりも奥側、つまり回転シャッタ６のシャッタ本体部１０の回転領域よりも奥側に位置して設けられている。すなわち、この記録紙収納部１８は、第１の収納部１４の奥部上方に位置し、かつ装置本体４の後部の円弧状に湾曲した箇所の内面、およびプリンタカバー部２２の内面に、ロール状に巻かれた記録紙２１が接近する状態で設けられている。
【００３９】
この場合、装置本体４の内部には、図３に示すように、金銭収納部５とプリンタ装置２との間を仕切る仕切部２０が設けられている。この仕切部２０は、装置本体４内に収納された状態における回転シャッタ６のシャッタ本体部１０の回転移動軌跡の外周に沿って円弧状に湾曲した湾曲部２０ａを備えている。
【００４０】
また、この仕切部２０は、図３に示すように、第１の収納部１４の奥部の上方に位置した状態で湾曲部２０ａの下部から装置本体４の後部の内面に亘って設けられた水平部２０ｂと、第１の収納部１４の奥部の後方に位置する水平部２０ｂと装置本体４の底部との間に設けられた垂直部２０ｃと、を備えている。この場合、水平部２０ｂには、ロール状に巻かれた記録紙２１の下部が配置する収納凹部２０ｄが設けられている。
【００４１】
プリンタ部１９は、図３に示すように、印字ヘッド部１９ａとプラテン部１９ｂとを備え、これらの間にロール状に巻かれた記録紙２１の先端部が送り込まれるように構成されている。すなわち、プリンタ部１９は、印字ヘッド部１９ａとプラテン部１９ｂとの間に送り込まれた記録紙２１に印字ヘッド部１９ａが順次印刷情報を印刷し、この印刷された記録紙２１をプリンタカバー部２２に設けられた記録紙排出口２２ａから外部に排出するように構成されている。
【００４２】
また、このプリンタ部１９は、図３に示すように、装置本体４の内部における金銭収納部５の第２の収納部１５と記録紙収納部１８との間に位置した状態で設けられている。すなわち、このプリンタ部１９は、仕切部２０の湾曲部２０ａと記録紙収納部１８との間に位置する装置本体４内の上部に位置して、プリンタカバー部２２の下面に接近する状態で配置されている。
【００４３】
プリンタカバー部２２は、図１〜図３に示すように、その後端部（図３では左端部）が装置本体４の背面部（図３では左端部）に回転可能に取り付けられている。すなわち、このプリンタカバー部２２は、その前後方向の長さが装置本体４の本体ケース部８における上部の前後方向の長さとほぼ同じで、左右方向の長さが装置本体４の一端部（図１では左端部）から入力表示部３までの長さで形成されている。
【００４４】
記録紙排出口２２ａは、図１〜図３に示すように、プリンタカバー部２２が装置本体４内の記録紙収納部１８とプリンタ部１９とを覆って閉じた際に、印字ヘッド部１９ａとプラテン部１９ｂとの間に対応した状態で、プリンタカバー部２２にその左右方向に細長く形成されている。
【００４５】
一方、入力表示部３は、図１〜図３、図７、図８に示すように、装置本体４の上部に設けられた取付台２４上に配置されている。この取付台２４は、装置本体４の本体ケース部８に設けられたプリンタカバー部２２の右側に並んだ状態で、本体ケース部８の上面から背面に亘って設けられている。すなわち、この取付台２４は、その上面が装置本体４の上面と同様に前下り（図３では右下り）に傾斜し、背面が後方に向けて少し上向きに傾くように構成されている。
【００４６】
入力表示部３は、図１〜図３、図７、図８に示すように、入力部２５と第１の表示部２６と第２の表示部２７とを備え、入力部２５と第１の表示部２６とが取付台２４の上面に配置され、第２の表示部２７が取付台２４の背面に配置されるように構成されている。入力部２５は、テンキー、ファンクションキー、決定キー、登録キー、印刷キーなどの各種のキーを備え、取付台２４上の前側に位置するほぼ半分の箇所に配置され、売上データなどの情報を入力するように構成されている。
【００４７】
第１の表示部２６と第２の表示部２７とは、図１〜図３、図７、図８に示すように、液晶表示パネルやＥＬ表示パネル（エレクトロ・ルミネッセンス表示パネル）、またはプラズマ表示パネルなどの平面型の表示パネルからなり、入力部２５で入力されたデータ、またはその処理結果などの情報を電気光学的に表示するように構成されている。
【００４８】
この場合、第１の表示部２６は、図１〜図３、図８に示すように、入力部２５の後部側に位置する取付台２４上の後部側に配置され、この状態で前端部（図３では右端部）が上下方向に回転可能な状態で取付台２４に取り付けられている。これにより、第１の表示部２６は、取付台２４上に配置された際に、取付台２４と共に前下りに傾斜することにより、表示された情報がオペレータから見易くなるように構成されている。
【００４９】
また、この第１の表示部２６は、図１〜図３、図８に示すように、その前端部を中心に上下方向に回転して取付台２４上に傾いた状態で起立することにより、表示された情報がオペレータから更に見易くなるように構成されている。第２の表示部２７は、図３および図７に示すように、取付台２４の背面部に少し上向き状態で配置され、この状態で表示された情報が顧客から見易くなるように構成されている。
【００５０】
一方、装置本体４内には、図３に示すように、金銭収納部５の内部を照明する複数の照明部２８が設けられている。これら複数の照明部２８は、金銭収納部５の第１の収納部１４の複数の収納スペース１４ａに対応する第２の収納部１５の下面と、第２の収納部１５の複数の収納スペース１５ａ内における奥側（図３では左側）上部とに、それぞれ設けられている。
【００５１】
これにより、複数の照明部２８は、図２および図３に示すように、第１の収納部１４の複数の収納スペース１４ａ内に金種ごとに収納された各紙幣、および第２の収納部１５の複数の収納スペース１５ａ内に金種ごとに収納された各硬貨をそれぞれ個別に照明するように構成されている。
【００５２】
また、これら複数の照明部２８は、図２および図３に示すように、金銭を取り扱う各種の処理モード、例えば登録処理モード、返金処理モード、両替処理モードなどの各種の処理モードに応じて照明色が変わるように構成されている。すなわち、これら複数の照明部２８それぞれは、赤色、緑色、青色などの発光色が異なる複数の発光素子を備え、これら複数の発光素子を処理モードに応じて選択的に発光させることにより、照明色が変わるように構成されている。
【００５３】
次に、図９に示されたブロック図を参照して、この電子レジスタの回路構成について説明する。
この電子レジスタは、ＣＰＵ３０、メモリ部３１、プリンタ装置２、入力表示部３、照明部２８を備えている。メモリ部３１は、ＲＯＭ（リードオンリーメモリ）、ＲＡＭ（ランダムアクセスメモリ）を備えている。
【００５４】
ＣＰＵ３０は、メモリ部３１のＲＯＭに記憶されたプログラムに基づいて電子レジスタ全体の処理を行うものである。メモリ部３１のＲＯＭには、ＣＰＵ３０で行われる処理を制御するプログラムを記憶している。プリンタ装置２は、ＣＰＵ３０からの指令に基づいて売上データなどの情報を記録紙２１に印刷するものである。
【００５５】
入力表示部３は、入力部２５、第１の表示部２６、第２の表示部２７を備えている。入力部２５は、売上データなどの情報を入力するものである。第１の表示部２６と第２の表示部２７とは、ＣＰＵ３０からの指令に基づいて売上データなどの情報を表示するものである。
【００５６】
照明部２８それぞれは、複数の発光素子を備え、回転シャッタ６が開口部７を開放して装置本体４内に収納された際に、ＣＰＵ３０からの指令に基づいて点灯するものである。この場合、照明部２８は、ＣＰＵ３０からの指令に基づいて、金銭を取り扱う各種の処理モード、例えば登録処理モード、返金処理モード、両替処理モードなどの各種の処理モードに応じて複数の発光素子が選択的に発光して照明色が変わるように制御されるものである。
【００５７】
次に、このような電子レジスタの作用について説明する。
まず、装置本体４の側板部９に設けられた施錠部１３の鍵穴１３ａに鍵を差し込んで施錠部１３の施錠を解除し、回転シャッタ６を開閉可能な状態にする。この状態で、入力表示部３で売上データを入力する。このときには、入力表示部３の入力部２５をキー操作して売上データを入力する。すると、入力部２５で入力された売上データまたはその処理データが第１の表示部２６と第２の表示部２７とにそれぞれ表示される。
【００５８】
この場合、装置本体４は、その本体ケース部８の上部が前下りに傾斜しているので、これに伴って入力部２５および第１の表示部２６も前下りに傾斜している。このため、入力部２５の各種のキーがオペレータから見易く、かつオペレータがキー操作し易くなる。同様に、第１の表示部２６に表示された情報がオペレータから見易くなる。
【００５９】
このときには、図８に示すように、第１の表示部２６を取付台２４上に引き起こして所望の角度に傾けることにより、表示された情報をオペレータから更に見易くすることができる。また、取付台２４は、その背面が後方に向けて少し上向きに傾いていることにより、この取付台２４の背面に設けられた第２の表示部２７に表示された情報が顧客から見易くなる。
【００６０】
そして、第２の表示部２７に表示されたデータを顧客が確認した際には、入力部２５の印刷キーを操作して印刷処理を行う。すなわち、入力部２５の印刷キーが操作された際には、記録紙収納部１８内に収納されたロール状に巻かれた記録紙２１の先端部がプリンタ部１９の印字ヘッド部１９ａとプラテン部１９ｂとの間に送り込まれる。
【００６１】
この送り込まれた記録紙２１は、印字ヘッド部１９ａによって第１の表示部２６および第２の表示部２７に表示された情報が順次印刷される。この印刷された記録紙２１は、プリンタカバー部２２の記録紙排出口２２ａからレシートとして送り出される。この場合、記録紙２１の交換および紙詰まりが生じた際には、プリンタカバー部２２を上方に回転させて開き、この状態でロール状に巻かれた記録紙２１の交換および紙詰まりの解消をすることができる。
【００６２】
このように、印刷された記録紙２１が装置本体４の外部に排出された際には、回転シャッタ６を回転させて装置本体４の前部の開口部７を開放させることにより、金銭収納部５を露出させ、顧客との間で釣銭などの金銭の受け渡しをする。このときには、回転シャッタ６の一対の支持軸１２を中心に回転シャッタ６の支持アーム部１１を図３において反時計回りに回転させて、シャッタ本体部１０を同方向に回転移動させる。
【００６３】
これにより、シャッタ本体部１０が仕切部２０の湾曲部２０ａに沿って装置本体４内に回転移動し、シャッタ本体部１０の後端部が金銭収納部５の第１の収納部１４における奥側の上部に設けられた切欠き部１４ｃに食い込んで配置された状態で、回転シャッタ６のシャッタ本体部１０が装置本体４内に収納される。このため、装置本体４の開口部７が開放され、この開口部７から装置本体４内に配置された金銭収納部５が外部に露出する。
【００６４】
このときには、シャッタ本体部１０の後端部に設けられた紙幣押え部１０ｂが、第１の収納部１４の切欠き部１４ｃに食い込んで、第１の収納部１４内の奥側に位置する箇所の紙幣を押える。このため、装置本体４の開口部７から装置本体４内に風が吹き込んでも、第１の収納部１４内に収納された紙幣が散乱することがない。
【００６５】
また、このときには、装置本体４内の底部に配置された金銭収納部５の第１の収納部１４の前部が開口部７から外部に露出すると共に、この第１の収納部１４の上方に配置された金銭収納部５の第２の収納部１５内のほぼ全域が開口部７から外部に露出する。この状態では、第１の収納部１４の複数の収納スペース１４ａ内に配置された各金種の紙幣の前部側がそれぞれ外部に露出すると共に、第２の収納部１５の複数の収納スペース１５ａ内に配置された各金種の硬貨８がそれぞれ外部に露出する。
【００６６】
このように、回転シャッタ６が装置本体４内に収納されると、この回転シャッタ６に連動して装置本体４内の複数の照明部２８が点灯し、第１の収納部１４の複数の収納スペース１４ａ内、および第２の収納部１５の複数の収納スペース１５ａ内がそれぞれ個別に照明される。このため、第１の収納部１４と第２の収納部１５とが装置本体４の内部に配置されていても、第１の収納部１４と第２の収納部１５との各内部に収納された紙幣および硬貨を良好に視認することができる。
【００６７】
この場合、複数の照明部２８それぞれは、赤色、緑色、青色などの発光色が異なる複数の発光素子を備え、これら複数の発光素子を処理モードに応じて選択的に発光させることにより、照明色が変わる。このため、金銭の取り扱いを照明光によって確認することができるので、金銭の取り扱いを間違えることがなく、顧客との間で金銭の受け渡しを正確に行うことができる。
【００６８】
このように顧客との間で金銭の受け渡しをして商品券などの金券を受け取った際には、第１の収納部１４の前部を持ち上げて、ヒンジ部１６を中心に第１の収納部１４を上方に回転させることにより、第１の収納部１４と装置本体４の底部との間に設けられた隠し収納部１４ｄを開放させ、この開放された隠し収納部１４ｄ内に商品券などの金券を収納することができる。
【００６９】
また、金銭収納部５内に収納されている金銭を集計する際には、第２の収納部１５を装置本体４内から取り出し、この取り出した第２の収納部１５に収納されている硬貨が取り出し易くなるので、容易にかつ良好に硬貨を集計することができる。また、第２の収納部１５が装置本体４内から取り出されると、第１の収納部１４に収納されている紙幣が取り出し易くなり、これにより容易にかつ良好に紙幣を集計することができる。
【００７０】
このように、この電子レジスタの金銭収納装置１によれば、前部側に開口部７が設けられた装置本体４と、開口部７から外部に露出する状態で装置本体４内に配置された金銭収納部５と、装置本体４内に回転可能に設けられて開口部７を開閉可能に円弧状に塞ぎ、かつ開口部７を開放した際に装置本体４内に収納される回転シャッタ６と、を備えていることにより、設置面積および使用面積を小さくして、省スペース化およびコンパクト化を図ることができる。
【００７１】
すなわち、この電子レジスタの金銭収納装置１では、回転シャッタ６によって装置本体４の開口部７を開放させることができるので、この開放された開口部７から金銭収納部５を露出させることができ、これにより装置本体４内から金銭収納部５を引き出す必要がないので、設置面積および使用面積を小さくすることができ、装置全体の省スペース化およびコンパクト化を図ることができる。
【００７２】
また、この金銭収納装置１では、回転シャッタ６を装置本体４内に回転可能に設けるだけであるから、構造が簡単で、回転シャッタ６によって装置本体４の開口部７を容易にかつ良好に開閉することができるほか、回転シャッタ６を装置本体４内に収納することができるので、装置本体４の上部を有効に利用することができ、これにより電子レジスタ全体の小型化を図ることができる。
【００７３】
また、この金銭収納装置１では、装置本体４の後部がほぼ半円弧状に湾曲して形成され、装置本体４の前部側に開口部７が設けられ、この開口部７を回転シャッタ６が開閉可能に円弧状に塞ぐことにより、一見すると金銭収納部５が何処にあるか分からないため、防犯性に優れ、安全で、かつ外観的にもデザイン的にも好ましいものを提供することができる。
【００７４】
また、この金銭収納装置１では、装置本体４の開口部７が装置本体４の前端下部からその後方に位置する前側上部に亘って設けられていることにより、回転シャッタ６が装置本体４内に収納されて開口部７を開放させた際に、装置本体４内に設けられた金銭収納部５の前部側を装置本体４の開口部７から装置本体４の外部に確実にかつ良好に露出させることができる。
【００７５】
また、この金銭収納装置１では、回転シャッタ６が、装置本体４の開口部７を塞ぐシャッタ本体部１０と、このシャッタ本体部１０の両側に設けられて装置本体４内に延びる一対の支持アーム部１１と、装置本体４に設けられて一対の支持アーム部１１を回転可能に支持する支点部である一対の支持軸１２と、を備えていることにより、蛇腹タイプのシャッタに比べて、回転シャッタ６の構造が簡単で、回転シャッタ６によって開口部７を確実にかつ良好に開閉させることができる。
【００７６】
すなわち、この回転シャッタ６は、一対の支持軸１２を中心に一対の支持アーム部１１が回転することにより、これら一対の支持アーム部１１の回転に伴ってシャッタ本体部１０を確実にかつ良好に回転移動させることができるので、装置本体４の開口部７を簡単にかつ良好に開放させることができると共に、シャッタ本体部１０を装置本体４内に容易にかつ良好に収納することができる。
【００７７】
この場合、回転シャッタ６のシャッタ本体部１０は、装置本体４の開口部７と同じ大きさで、かつ支点部である一対の支持軸１２を中心とする円弧状に湾曲して形成されていることにより、シャッタ本体部１０によって装置本体４の開口部７を確実にかつ良好に塞ぐことができると共に、シャッタ本体部１０によって装置本体４の開口部７を円弧状に塞ぐことができ、このため一見すると金銭収納装置１に見えないので、これによっても防犯性に優れ、安全で、かつ外観的にもデザイン的にも好ましいものを提供することができる。
【００７８】
また、この金銭収納装置１の金銭収納部５は、装置本体４内の底部に配置されて紙幣を収納する第１の収納部１４と、この第１の収納部１４の上方に配置されて硬貨を収納する第２の収納部１５と、を備えていることにより、第１の収納部１４と第２の収納部１５とを段違いに積層することができるので、金銭収納部５をコンパクトに構成することができ、これにより装置全体のコンパクト化を図ることができる。
【００７９】
この場合、第１の収納部１４は、紙幣を金種ごとに収納する複数の収納スペース１４ａに仕切られ、これら複数の収納スペース１４ａ内の前部側が開口部７から外部に露出することにより、第１の収納部１４が装置本体４内に配置されていても、複数の収納スペース１４ａそれぞれに紙幣を容易にかつ良好に出し入れすることができる。また、この第１の収納部１４は、その前部が円弧状に競り上がるように湾曲して形成されていることにより、これによっても紙幣を取り出し易くすることができる。
【００８０】
また、第２の収納部１５は、硬貨を金種ごとに収納する複数の収納スペース１５ａに仕切られ、これら複数の収納スペース１５ａ内のほぼ全域が開口部７から外部に露出することにより、第２の収納部１５が装置本体４内に配置されていても、複数の収納スペース１５ａそれぞれに硬貨を容易にかつ良好に出し入れすることができる。
【００８１】
この場合、第２の収納部１５は、その両側部に設けられた一対の脚部１７によって第１の収納部１４の上方に支持されているので、第１の収納部１４の前部側を開口部７から装置本体４の外部に良好に露出させることができる。また、この第２の収納部１５は、その前部が円弧状に競り上がるように湾曲して形成されていることにより、硬貨を取り出し易くすることができると共に、第１の収納部１４の前部を広く開放させることができ、これにより第１の収納部１４の前部内を見易くし、かつ紙幣を取り出し易くすることができる。
【００８２】
また、この金銭収納部５は、第１の収納部１４の奥行きの長さが回転シャッタ６の回転領域よりも長く形成され、第２の収納部１５の奥行きの長さが回転シャッタ６の回転領域よりも短く形成されていることにより、紙幣および硬貨の各収納スペース１４ａ、１５ａを十分に確保することができると共に、金銭収納部５をコンパクトに構成することができるので、装置本体４のコンパクト化を図ることができる。
【００８３】
この場合、回転シャッタ６は、開口部７を開放して装置本体４内に収納された際に、第１の収納部１４内に収納された紙幣を押える紙幣押え部１０ｂを備えていることにより、装置本体４の開口部７が開放された際に、紙幣押え部１０ｂによって紙幣を押えることができるので、装置本体４の開口部７から装置本体４内に風が吹き込んでも、第１の収納部１４内に収納された紙幣が散乱するのを防ぐことができる。
【００８４】
すなわち、この回転シャッタ６は、一対の支持軸１２を中心に回転してシャッタ本体部１０が装置本体４内に収納された際に、紙幣押え部１０ｂが回転シャッタ６の回転領域内から突出する第１の収納部１４の奥部に設けられた切欠き部１４ｃに食い込んで、第１の収納部１４内の奥側に位置する箇所の紙幣を確実に押えることができ、これにより装置本体４内に吹き込んだ風によって、第１の収納部１４内に収納された紙幣が散乱するのを確実にかつ良好に防ぐことができる。
【００８５】
この場合、第１の収納部１４は、その奥部が装置本体４にヒンジ部１６によって上下方向に回転可能に取り付けられていることにより、装置本体４の底部と第１の収納部１４の下部との間に設けられて商品券などの金券を収納する隠し収納部１４ｄを開閉することができる。このため、第１の収納部１４の前部を持ち上げて、ヒンジ部１６を中心に第１の収納部１４を回転させて、第１の収納部１４と装置本体４の底部との間に設けられた隠し収納部１４ｄを開放させることができ、この開放された隠し収納部１４ｄ内に商品券などの金券を収納することができる。
【００８６】
また、金銭収納部５の第２の収納部１５は、その上端部が回転シャッタ６の一対の支持軸１２を中心とする円弧状に湾曲して形成されていることにより、回転シャッタ６が装置本体４の開口部７を塞いだ際に、第２の収納部１５の上端部を回転シャッタ６のシャッタ本体部１０の内面に接近させた状態で第２の収納部１５を装置本体４内に配置することができるので、金銭収納部５を装置本体４内に効率良くコンパクトに設置することができ、これによっても装置全体のコンパクト化を図ることができる。
【００８７】
また、この第２の収納部１５は、前部が円弧状に競り上がるように湾曲して形成されていることにより、第２の収納部１５の収納スペース１５ａ内から硬貨を取り出し易くすることができるほか、一対の脚部１７によって第１の収納部１４の上方に支持されているので、第１の収納部１４の前部を広く開放させることができるので、第１の収納部１４の前部内を見易くすることができると共に、紙幣を取り出し易くすることができる。
【００８８】
この場合、第２の収納部１５は、第１の収納部１４上に着脱可能に配置されるように構成されていることにより、金銭収納部５内の金銭を集計する際に、第２の収納部１５を装置本体４内から取り出すことができる。これにより、第２の収納部１５に収納されている硬貨を取り出し易くし、容易にかつ良好に硬貨を集計することができると共に、第２の収納部１５が邪魔にならずに、第１の収納部１４に収納されている紙幣を取り出し易くすることができるので、容易にかつ良好に紙幣を集計することができる。
【００８９】
このように、この電子レジスタによれば、装置本体４内に配置された金銭収納部５が開口部７から外部に露出すると共に、装置本体４内に回転可能に設けられた回転シャッタ６が開口部７を開閉可能に塞ぎ、かつ装置本体４内に収納される金銭収納装置１と、装置本体４上に設けられて売上データを入力して表示する入力表示部３と、装置本体４内における金銭収納部５の奥側に位置して設けられて印刷情報を印刷するプリンタ装置２と、を備えていることにより、プリンタ装置２および入力表示部３を備えていても、設置面積および使用面積を小さくして、省スペース化およびコンパクト化を図ることができる。
【００９０】
すなわち、この電子レジスタでは、回転シャッタ６によって金銭収納装置１の装置本体４の開口部７を開放させることができるので、この開放された開口部７から装置本体４内の金銭収納部５を露出させることができ、これにより装置本体４内から金銭収納部５を引き出す必要がない。このため、入力表示部３およびプリンタ装置２を備えていても、設置面積および使用面積を小さくすることができるので、装置全体の省スペース化およびコンパクト化を図ることができる。
【００９１】
また、この電子レジスタでは、回転シャッタ６が装置本体４内に収納されるので、装置本体４の上部を有効に利用することができ、これにより装置本体４の前部側に設けられた開口部７を除いて、装置本体４上に入力表示部３を設置することができると共に、プリンタ装置２を金銭収納部５の奥側に位置する装置本体４の内部に設置することができるので、電子レジスタ全体をコンパクトに構成することができる。
【００９２】
この場合、装置本体４は、その後部の高さが前部の高さよりも高く形成され、これにより上部が前下りに傾斜する形状に形成されていることにより、装置本体４内の奥部にプリンタ装置２の設置スペースを広く確保することができるほか、入力表示部３を装置本体４上に前下がりに傾斜させて配置することができ、これにより入力表示部３の入力操作性を向上させることができると共に、入力表示部３に表示された情報をオペレータに見易くさせることができる。
【００９３】
すなわち、入力表示部３は、装置本体４内に設けられたプリンタ装置２に対応する箇所を除いて、装置本体４の上面から背面に亘って配置されていることにより、プリンタ装置２を邪魔することなく、入力表示部３を装置本体４上に良好に設置することができる。例えば、プリンタ装置２を装置本体４内におけるほぼ左側の半分の領域に設置して、入力表示部３をプリンタ装置２の右側に位置する装置本体４上に設置することができるので、入力表示部３を効率良く設置することができ、これにより装置全体のコンパクト化を図ることができる。
【００９４】
また、この入力表示部３は、入力部２５、第１の表示部２６、第２の表示部２７を備え、入力部２５と第１の表示部２６とが装置本体４の上面に配置され、第２の表示部２７が装置本体４の背面に配置されていることにより、入力部２５で入力されたデータおよびその処理データを第１の表示部２６に表示させてオペレータが確認することができると共に、入力部２５で入力されたデータおよびその処理データを第２の表示部２７に表示させて顧客が確認することができる。
【００９５】
この場合、入力表示部３は、装置本体４の上面から背面に亘って設けられた取付台２４の上面に入力部２５と第１の表示部２６とが設けられ、取付台２４の背面に第２の表示部２７が設けられていることにより、第１の表示部２６を取付台２４と共に前下りに傾斜させて第１の表示部２６に表示された情報をオペレータから見易くすることができ、また第２の表示部２７を取付台２４の背面部に少し上向きに配置することができ、これにより第２の表示部２７に表示された情報を顧客から見易くすることができる。
【００９６】
また、第１の表示部２６は、その前端部が装置本体４上の取付台２４に上下方向に回転可能に設けられていることにより、第１の表示部２６を取付台２４上で起立横倒させることができるので、第１の表示部２６を取付台２４上に引き起こしてオペレータが所望する角度に傾けた状態で起立させることができ、これにより第１の表示部２６に表示された情報をオペレータから、より一層、見易くすることができる。
【００９７】
また、この電子レジスタでは、プリンタ装置２が、ロール状に巻かれた記録紙２１を収納する記録紙収納部１８と、記録紙２１に印刷情報を印刷するプリンタ部１９とを備え、回転シャッタ６の回転領域よりも奥側に位置する装置本体４の内部に設けられていることにより、プリンタ装置２を装置本体４内に効率良くコンパクトに設置することができると共に、装置本体４をコンパクトに構成することができる。
【００９８】
すなわち、このプリンタ装置２は、ロール状に巻かれた記録紙２１を収納する記録紙収納部１８と、記録紙２１に印刷情報を印刷するプリンタ部１９とを備えていても、記録紙収納部１８を第１の収納部１４の奥側上方で、かつ回転シャッタ６の回転領域よりも奥側に位置する装置本体４内に配置することができると共に、プリンタ部１９を記録紙収納部１８と回転シャッタ６の回転領域との間に配置することができ、このためプリンタ装置２を装置本体４内にコンパクトに設置することができる。
【００９９】
また、この電子レジスタでは、装置本体４内に設けられて金銭収納部５の内部を照明する照明部２８を備えていることにより、装置本体４内に金銭収納部５が設けられていても、照明部２８によって金銭収納部５に収納されている紙幣や硬貨を明るく照明することができ、これにより金種を良好に確認することができる。
【０１００】
この場合、照明部２８は、金銭収納部５における第１の収納部１４内に仕切られた複数の収納スペース１４ａ内、および第２の収納部１５内に仕切られた複数の収納スペース１５ａ内を個別に照明することにより、金銭収納部５の第１の収納部１４の上方に第２の収納部１５が段違いに配置されていても、第１の収納部１４における複数の収納スペース１４ａ内に収納された紙幣、および第２の収納部１５における複数の収納スペース１５ａ内に収納された硬貨を確実にかつ良好に照明することができるので、より一層、良好に金種を確認することができる。
【０１０１】
また、この照明部２８は、金銭を取り扱う処理モードに応じて照明色が変わることにより、照明色によって金銭を取り扱う処理モード、例えば登録処理モード、返金処理モード、両替処理モードなどの各種の処理モードを確認することができ、これにより金銭の取り扱いを間違えることなく、顧客との間で金銭の受け渡しを良好に行うことができる。
【０１０２】
この場合、照明部２８それぞれは、発光色が異なる複数の発光素子を備え、これら複数の発光素子を処理モードに応じて選択的に発光させることにより、金銭を取り扱う処理モードに応じて照明色を変えることができる。これにより、金銭を取り扱う処理モードを照明光の色によって確認することができるので、より一層、金銭の取り扱いを間違えることがなく、顧客との間で金銭の受け渡しを正確にかつ良好に行うことができる。
【０１０３】
なお、上述した実施形態では、各種の処理モードに応じて複数の照明部２８の照明色が変わるように構成した場合について述べたが、この発明はこれに限らず、例えば、金銭の取り扱い額に応じた収納スペース１４ａ、１５ａのみを選択的に照明することにより、金銭の取り扱い額をガイドして金銭の取り扱い額を間違えないように構成しても良い。
【０１０４】
また、上述した実施形態では、回転シャッタ６を手動で開閉するように構成した場合について述べたが、この発明はこれに限らず、回転シャッタ６を入力表示部３のキー操作に応じて自動的に開閉するように構成しても良い。
【０１０５】
また、上述した実施形態では、入力表示部３が、入力部２５、第１の表示部２６、および第２の表示部２７を備えた構成である場合について述べたが、この発明はこれに限らず、表示パネルの表面に透明なタッチパネルを設けたタブレットタイプの入力表示部を用いても良い。この場合、タブレットタイプの入力表示部は、通信手段によって電子レジスタとの間でデータ通信を行うように構成しても良い。
【０１０６】
さらに、上述した実施形態では、施錠部１３を装置本体４の側板部９に設けた場合について述べたが、この発明はこれに限らず、例えば装置本体４の本体ケース８の上面に設けても良く、また本体ケース部８の前端下部に設けても良い。このように構成すれば、装置本体４を室内の壁などに近付けて配置することができるので、設置場所の自由度を高めることができる。
【０１０７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０８】
（付記）
請求項１に記載の発明は、前部側に開口部が設けられた装置本体内に配置された金銭収納部が前記開口部から外部に露出すると共に、前記装置本体内に設けられたシャッタが前記開口部を開閉可能に塞ぎ、かつ前記開口部を開放した際に前記装置本体内に収納される金銭収納装置と、前記金銭収納装置の前記装置本体上に設けられて売上データを入力して表示する入力表示部と、前記金銭収納装置の前記装置本体内における前記金銭収納部の奥側に設けられて前記入力表示部で入力されたデータまたはその処理データを印刷するプリンタ装置と、を備えていることを特徴とする売上データ処理装置である。
【０１０９】
請求項２に記載の発明は、請求項１に記載の売上データ処理装置において、前記装置本体は、その後部の高さが前部の高さよりも高く形成されていることにより、上部が前下りに傾斜する形状に形成されていることを特徴とする売上データ処理装置である。
【０１１０】
請求項３に記載の発明は、請求項１または請求項２に記載の売上データ処理装置において、前記入力表示部は、前記プリンタ装置に対応する箇所を除いて、前記装置本体の上面から背面に亘って配置されていることを特徴とする売上データ処理装置である。
【０１１１】
請求項４に記載の発明は、請求項３に記載の売上データ処理装置において、前記入力表示部は、入力部、第１の表示部、第２の表示部を備え、前記入力部と前記第１の表示部とが前記装置本体の上面に配置され、前記第２の表示部が前記装置本体の背面に配置されていることを特徴とする売上データ処理装置である。
【０１１２】
請求項５に記載の発明は、請求項１〜請求項４のいずれかに記載の売上データ処理装置において、前記プリンタ装置は、ロール状に巻かれた記録紙を収納する記録紙収納部と、この記録紙収納部から送り出された前記記録紙に印刷情報を印刷するプリンタ部と、を備え、前記記録紙収納部と前記プリンタ部とが前記回転シャッタの回転領域よりも奥側に位置する前記装置本体の内部に配置されていることを特徴とする売上データ処理装置である。
【０１１３】
請求項６に記載の発明は、請求項１〜請求項５のいずれかに記載の売上データ処理装置において、前記金銭収納部は、前記装置本体内の底部に配置されて紙幣を金種ごとに収納する複数の収納スペースに仕切られた第１の収納部と、この第１の収納部の上方に段違いに配置されて硬貨を金種ごとに収納する複数の収納スペースに仕切られた第２の収納部と、を備えていることを特徴とする売上データ処理装置である。
【０１１４】
請求項７に記載の発明は、請求項１〜請求項６のいずれかに記載の売上データ処理装置において、前記装置本体内に設けられて前記金銭収納部の内部を照明する照明部を備えていることを特徴とする売上データ処理装置である。
【０１１５】
請求項８に記載の発明は、請求項７に記載の売上データ処理装置において、前記照明部は、前記金銭収納部内の前記複数の収納スペース内を個別に照明することを特徴とする売上データ処理装置である。
【０１１６】
請求項９に記載の発明は、請求項７または請求項８に記載の売上データ処理装置において、前記照明部は、前記金銭を取り扱う処理モードに応じて照明色が変わることを特徴とする売上データ処理装置である。
【０１１７】
請求項１０に記載の発明は、請求項９に記載の売上データ処理装置において、前記照明部それぞれは、発光色が異なる複数の発光素子を備えていることを特徴とする売上データ処理装置である。
【符号の説明】
【０１１８】
１  金銭収納装置
２  プリンタ装置
３  入力表示部
４  装置本体
５  金銭収納部
６  回転シャッタ
７  開口部
１０  シャッタ本体部
１０ｂ  紙幣押え部
１１  支持アーム部
１２  支持軸
１３  施錠部
１４  第１の収納部
１４ａ  収納スペース
１４ｃ  切欠き部
１５  第２の収納部
１５ａ  収納スペース
１６  ヒンジ部
１７  脚部
１８  記録紙収納部
１９  プリンタ部
２１  記録紙
２２  プリンタカバー部
２２ａ  記録紙排出口
２４  取付台
２５  入力部
２６  第１の表示部
２７  第２の表示部
２８  照明部
【図１】
0006649617.tif 000002
【図２】
0006649617.tif 000003
【図３】
0006649617.tif 000004
【図４】
0006649617.tif 000005
【図５】
0006649617.tif 000006
【図６】
0006649617.tif 000007
【図７】
0006649617.tif 000008
【図８】
0006649617.tif 000009
【図９】
0006649617.tif 000010